(57)【要約】  【課題】接触不良の恐れを低減でき、信頼性の高いダンパー装置を提供する。  【解決手段】開口部を開閉するフラップ２、３と、開口部２、３を形成するフレーム７、８と、フラップ２、３を駆動するモータ６を内部に有するケース９と、からなり、モータ６と接続された接続用コネクタ１０をケース９の外側に露出するよう配置するとともに、接続用コネクタ１０に相手側コネクタ１２を装着した際に、相手側コネクタ１２に接続されたリード線１１に外力が加わった場合にも、ケース９に、相手側コネクタ１２が外れないための保持部９ａを設けたことにより、ダンパー装置を冷蔵庫へ取り付ける時に、相手側コネクタ１２に接続されたリード線１１に外力が加わり、相手側コネクタ１２が引っ張られた場合でも、相手側コネクタ１２の浮きや外れが発生することがなく、接触不良により動作に支障を来たす恐れを低減でき、信頼性の高いものとすることができる。【選択図】図５
2008133974.tif 000002
【特許請求の範囲】
【請求項１】
開口部を開閉するフラップと、前記開口部を形成するフレームと、前記フラップを駆動するモータを内部に有するケースと、からなり、前記モータと接続された接続用コネクタを前記ケースの外側に露出するよう配置するとともに、前記接続用コネクタに相手側コネクタを装着した際に、前記相手側コネクタを保持する保持部を前記ケースに設けたダンパー装置。
【請求項２】
前記ケースに前記接続用コネクタが露出する凹部を設け、前記保持部により前記相手側コネクタを保持した状態で、前記相手側コネクタが前記凹部の空間内に収容される請求項１に記載のダンパー装置。
【請求項３】
前記ケースを略直方体状に形成し、前記モータの前記接続用コネクタとの接続部を前記ケース内の隅部に向けて配置し、前記凹部を前記隅部に形成した請求項１または２に記載のダンパー装置。
【請求項４】
前記保持部は、前記相手側コネクタを装着する際に、前記保持部をたわませながら装着できるように、弾性変形可能な爪形状とした請求項１から３のいずれか一項に記載のダンパー装置。
【請求項５】
前記保持部は、前記相手側コネクタを外す際に、外力を加え前記保持部をたわませるための保持力解除部を備えた請求項１から４のいずれか一項に記載のダンパー装置。
【請求項６】
前記保持力解除部は、前記爪形状の上方に延長された平面部とした請求項５に記載のダンパー装置。
【請求項７】
前記相手側コネクタの装着時に近接して、前記相手側コネクタの装着姿勢の変位を規制する姿勢規制部を前記ケースに設けた請求項１から３のいずれか一項に記載のダンパー装置。
【請求項８】
前記姿勢規制部を板状のリブとするとともに、前記相手側コネクタのリード線の引き出し方向と垂直になる部分を有するようにした請求項７に記載のダンパー装置。
【発明の詳細な説明】
【技術分野】
【０００１】
本発明は、開口部をフラップにより開閉させるダンパー装置で、特に冷蔵庫内部の冷風の風路を開閉して、温度を調節するダンパー装置に関するものである。
【背景技術】
【０００２】
従来から冷蔵庫庫内にある複数の冷蔵室温度を制御する手段として、冷却器から各冷蔵室へ通じる冷風の風路をフラップにて開閉し、各冷蔵室に流入する冷風量を制御するダンパー装置が採用されている。
【０００３】
ダンパー装置において、従来からモータに接続されたリード線の先端に接続用コネクタが取り付けられたタイプが用いられてきたが、近年、コスト等の観点から、リード線を廃止しモータに直接コネクタを取り付けたタイプが採用されており、この代表的なダンパー装置として、特許文献１に記載されたものが知られている。
【０００４】
図７から図１１は、特許文献１に記載された従来のダンパー装置を示すもので、図７は、従来のダンパー装置の正面図、図８は、従来のダンパー装置の一部断面で示す右側面図、図９は、従来のダンパー装置の一部断面で示す底面図、図１０は、従来のダンパー装置の駆動部の内部構造を示す平面図、図１１は、従来のダンパー装置の要部展開縦断面図である。
【０００５】
図７から図１１に示すように、このダンパー装置は駆動部１０１と、駆動部１０１の両側に配置された２つのフレーム１０２、１０３と、このフレーム１０２、１０３にそれぞれ形成される開口部１０４、１０５と、この開口部１０４、１０５を開閉する２枚のフラップ１０６、１０７と、から構成され、駆動部１０１はケース１０８と、正逆回転可能なモータ１０９と、モータに接続された接続用コネクタ１１０と、モータ１０９の回転軸に取り付けられたピニオン１０９ａの回転を減速するための４つの歯車からなる減速歯車列１１１と、減速歯車列１１１により減速されたモータ１０９の回転が伝達される第１の駆動歯車１１２と、この第１の駆動歯車１１２に特定の区間だけ噛み合う第１の従動歯車１１３と、第１の駆動歯車１１２と同軸上に配置され、所定領域のみ第１の駆動歯車１１２に従動して回転する第２の駆動歯車１１４と、この第２の駆動歯車１１４と所定の区間だけ噛み合う第２の従動歯車１１５と、から構成されている。
【０００６】
以上のように構成されたダンパー装置を冷蔵庫に取り付ける場合、接続用コネクタ１１０に、冷蔵庫側からきているリード線（図示せず）の先端に取り付けられた相手側コネクタ（図示せず）を装着することにより、ダンパー装置は冷蔵庫と電気的に接続された状態となる。
【０００７】
その際、このダンパー装置は、一般的には、相手側コネクタを取り付けた状態で発泡スチロール等の断熱材（図示せず）に嵌めこまれた後、冷蔵庫に組み込まれる。
【特許文献１】特開２００３−２４０１０２号公報
【発明の開示】
【発明が解決しようとする課題】
【０００８】
しかしながら、上記従来の構成では、ダンパー装置の接続用コネクタ１１０は断熱材で覆われてしまうため、まず最初に、相手側コネクタを接続用コネクタ１１０に装着し、その後、ダンパー装置を断熱材に嵌めこみ、この断熱材を冷蔵庫に組み込むため、相手側コネクタと接続用コネクタを装着しダンパー装置を断熱材に嵌めこむ前の時や、ダンパー装置を嵌めこんだ断熱材を冷蔵庫へ組み込む時に、相手側コネクタに接続されたリード線が引っ張られることにより、接続用コネクタ１１０に装着された相手側コネクタが引っ張られた場合、相手側コネクタの浮きや外れにより接触不良が発生し、ダンパー装置の動作に支障を来たす恐れがあるという課題を有していた。
【０００９】
本発明は、上記従来の課題を解決するもので、接触不良の恐れを低減でき、信頼性の高いダンパー装置を提供することを目的とする。
【課題を解決するための手段】
【００１０】
上記従来の課題を解決するために、本発明のダンパー装置は、開口部を開閉するフラップと、前記開口部を形成するフレームと、前記フラップを駆動するモータを内部に有するケースと、からなり、前記モータと接続された接続用コネクタを前記ケースの外側に露出するよう配置するとともに、前記接続用コネクタに相手側コネクタを装着した際に、前記相手側コネクタを保持する保持部を前記ケースに設けたものである。
【００１１】
これによって、ダンパー装置を冷蔵庫へ取り付ける時に、相手側コネクタに接続されたリード線に外力が加わり、接続用コネクタに装着された相手側コネクタが引っ張られた場合でも、相手側コネクタの浮きや外れの発生を低減することができる。
【発明の効果】
【００１２】
本発明のダンパー装置は、接触不良により動作に支障を来たす恐れを低減でき、信頼性の高いものとすることができる。
【発明を実施するための最良の形態】
【００１３】
請求項１に記載の発明は、開口部を開閉するフラップと、前記開口部を形成するフレームと、前記フラップを駆動するモータを内部に有するケースと、からなり、前記モータと接続された接続用コネクタを前記ケースの外側に露出するよう配置するとともに、前記接続用コネクタに相手側コネクタを装着した際に、前記相手側コネクタを保持する保持部を前記ケースに設けたことにより、ダンパー装置を冷蔵庫へ取り付ける時に、相手側コネクタに接続されたリード線に外力が加わり、接続用コネクタに装着された相手側コネクタが引っ張られた場合でも、相手側コネクタの浮きや外れの発生を低減でき、接触不良による動作に支障を来たす恐れを低減でき、信頼性の高いものとすることができる。
【００１４】
請求項２に記載の発明は、請求項１に記載の発明において、前記ケースに前記接続用コネクタが露出する凹部を設け、前記保持部により前記相手側コネクタを保持した状態で、前記相手側コネクタが前記凹部の空間内に収容されるものであり、装着状態で相手側コネクタがケースの上端面から突出しないので、ダンパー装置の取り扱い時や断熱材等への組み込み時に、他部位に接触させたり不用意にぶつけたりして相手側コネクタに力が掛かり変位したり、抜けたりする要因をより軽減でき、さらに、相手側コネクタの突出がないのでダンパー装置の収容に必要なスペースをよりコンパクト化できる。
【００１５】
請求項３に記載の発明は、請求項１または２に記載の発明において、前記ケースを略直方体状に形成し、前記モータの前記接続用コネクタとの接続部を前記ケース内の隅部に向けて配置し、前記凹部を前記隅部に形成したものであり、通常はモータの平面が円形状で直方体のケースに収めた場合にスペースファクターが悪くデッドスペースとなるケースの隅部がコネクタの電気的接続用に有効に活用できモータケースを一層コンパクトに設計でき、ダンパー装置の小型化を図ることができる。
【００１６】
請求項４に記載の発明は、請求項１から３のいずれか一項に記載の発明において、前記保持部は、前記相手側コネクタを装着する際に、前記保持部をたわませながら装着できるように、弾性変形可能な爪形状としたことにより、相手側コネクタを容易に装着でき、取り付け作業性の良いものとすることができる。
【００１７】
請求項５に記載の発明は、請求項１から４のいずれか一項に記載の発明において、前記保持部は、前記相手側コネクタを外す際に、外力を加え前記保持部をたわませるための保持力解除部を備えたことにより、ダンパー装置を冷蔵庫から取り外す際に、容易に相手側コネクタを取り外せ、交換作業性の良いものとすることができる。
【００１８】
請求項６に記載の発明は、請求項５に記載の発明において、前記保持力解除部は、前記爪形状の上方に延長された平面部としたことにより、保持力解除部を簡単な構造にでき、ダンパー装置を冷蔵庫から取り外す際に、容易に相手側コネクタが取り外せ、交換作業性の良いものとすることができるとともに、安価なものとすることができる。
【００１９】
請求項７に記載の発明は、請求項１から３のいずれか一項に記載の発明において、前記相手側コネクタの装着時に近接して、前記相手側コネクタの装着姿勢の変位を規制する姿勢規制部を前記ケースに設けたことにより、相手側コネクタに接続されたリード線が引き出し方向と垂直方向に引っ張られた場合、相手側コネクタは、保持部により保持されるとともに、リブにより支えられており、相手側コネクタの傾きを抑えることができ、相手側コネクタが外れたり、接続用コネクタを破損させたりする恐れを低減することができる。
【００２０】
請求項８に記載の発明は、請求項７に記載の発明において、前記姿勢規制部を板状のリブとするとともに、前記相手側コネクタのリード線の引き出し方向と垂直になる部分を有するようにしたことにより、より強い力でリード線が引き出し方向と垂直方向に引っ張られた場合でも、相手側コネクタの傾きをより抑えることができ、相手側コネクタが外れたり、接続用コネクタを破損させたりする恐れをより低減することができる。
【００２１】
以下、本発明の実施形態について図面を参照しながら説明する。なお、この実施の形態によってこの説明が限定されるものではない。
【００２２】
（実施の形態１）
図１は、本発明の実施の形態１におけるダンパー装置の正面図、図２は、同実施の形態におけるダンパー装置の一部断面で示す右側面図、図３は、同実施の形態におけるダンパー装置の一部断面で示す底面図、図４は、同実施の形態におけるダンパー装置の駆動部の内部構造を示す平面図、図５は、図２のＡ方向から見た相手側コネクタの装着前の要部斜視図、図６は、図２のＡ方向から見た相手側コネクタの装着後の要部斜視図である。
【００２３】
図１から図４に示すように、ダンパー装置１は、開口部２、３と、開口部２、３を開閉するフラップ４、５と、フラップ４、５を駆動する正逆回転可能で内部に減速機構を有するギヤードタイプのモータ６と、開口部２、３を形成するフレーム７、８と、フレーム８に一体的に設けられ、モータ６を内部に有するケース９と、フラップ４、５の開口部２、３と対向する面にけられた緩衝部材４ａ、５ａと、フレーム７、８の開口部２、３の周囲にフラップ４、５に向けて突出された当接部７ａ、８ａと、から構成されている。
【００２４】
なお、ケース９の材質は、ＡＢＳ樹脂である。
【００２５】
図５、図６に示すように、モータ６と直接接続された接続用コネクタ１０は、ケース９の外側に露出するように配置されている。また、ケース９は、ケース９と一体成形されて設けられた弾性変形可能な爪形状の保持部９ａと、保持部９ａの一部を形成する斜面部９ｂと、爪形状の保持部９ａの上方に延長された平面部（保持力解除部）９ｃと、接続用コネクタ１０の前方に配置され、ケース９と一体成形されて設けられ姿勢規制部となる板状のリブ９ｄと、から構成されている。
【００２６】
ここで、保持部９ａは、接続用コネクタ１０の短辺に平行に少なくとも短辺の一部を覆うようにケース９の外面から上方に向けて２本設けられている。
【００２７】
また、リブ９ｄは、ケース９の外面から上方に向けて２本設けられており、リブ９ｄの最も大きい面積は、リード線の引き出し方向に垂直方向になるように設けられている。
【００２８】
以上のように構成されたダンパー装置を冷蔵庫に取り付ける場合、接続用コネクタ１０に、冷蔵庫側からきているリード線１１の先端に取り付けられた相手側コネクタ１２を装着することにより、ダンパー装置１は冷蔵庫と電気的に接続された状態となる。
【００２９】
その際、このダンパー装置１は、発泡スチロール等の断熱材（図示せず）に嵌めこまれた後、冷蔵庫に組み込まれる。
【００３０】
そのため、まず最初に、相手側コネクタ１２を接続用コネクタ１０に装着し、その後、ダンパー装置１を断熱材に嵌めこむ必要がある。
【００３１】
なお、姿勢規制部となる板状のリブ９ｄは、相手側コネクタ１２の装着時に相手側コネクタ１２の装着姿勢の変位を規制する程度に近接して配置されている。
【００３２】
また、ケース９には接続用コネクタ１０が露出する部位に凹部９ｅが形成されており、保持部９ａにより相手側コネクタ１２を保持した状態では、相手側コネクタ１２が凹部９ｅの空間内に収容されてケース９の上端面からは突出しないように構成されている。
【００３３】
そして、この凹部９ｅは、ケース９が略直方体状に形成されたものである場合、モータ６の接続用コネクタ１０との接続部をケース９内のかどとなる隅部に向けて配置し、凹部９ｅをこの隅部に形成している。
【００３４】
以上のように構成されたダンパー装置について、以下その動作、作用を説明する。
【００３５】
図５、図６に示すように、接続用コネクタ１０に、相手側コネクタ１２を装着する際、まず、相手側コネクタ１２と、保持部９ａの斜面部９ｂが当接する。さらに、相手側コネクタ１２を傾斜面９ｂに沿って押し込むと、保持部９ａが外側にたわむことにより、相手側コネクタ１２を容易に接続用コネクタ１０に装着することができる。そして、相手側コネクタ１２が装着された後は、保持部９ａはもとの状態に戻り、相手側コネクタ１２を確実に保持できる。
【００３６】
また、ダンパー装置１を冷蔵庫に取り付ける時に、相手側コネクタ１２に接続されたリード線１１に外力が加わった場合、例えば、リード線１１が引き出し方向（図５の上方向）に引っ張られた場合、相手側コネクタ１２は、保持部９ａにより保持されており、相手側コネクタ１２は浮きや外れの発生を低減でき、接触不良による動作に支障を来たす恐れを低減でき、信頼性の高いものとすることができる。
【００３７】
また、ケース９に接続用コネクタ１０が露出する凹部９ｅを設け、保持部９ａにより相手側コネクタ１２を保持した状態で、相手側コネクタ１２が凹部９ｅの空間内に収容されるようにしたことにより、装着状態で相手側コネクタ１２がケース９の上端面から突出しないので、ダンパー装置の取り扱い時や断熱材等への組み込み時に、他部位に接触させたり不用意にぶつけたりして相手側コネクタ１２に力が掛かり変位したり、抜けたりする要因をより軽減でき、さらに、相手側コネクタ１２の突出がないのでダンパー装置の収容に必要なスペースをよりコンパクト化できる。
【００３８】
また、ケース９を略直方体状に形成し、モータ６の接続用コネクタ１０との接続部をケース９内の隅部に向けて配置し、凹部９ｅを隅部に形成したので、通常はモータ６の平面が円形状で直方体のケースに収めた場合にスペースファクターが悪くデッドスペースとなるケース９の隅部がコネクタの電気的接続用に有効に活用できケース９を一層コンパクトに設計でき、ダンパー装置の小型化を図ることができる。
【００３９】
また、相手側コネクタ１２に接続されたリード線１１が引き出し方向と垂直方向（図５の斜め左方向）に引っ張られた場合、相手側コネクタ１２に姿勢規制部となるリブ９ｄを近接して、相手側コネクタ１２の装着姿勢の変位を規制するように設けたことにより、相手側コネクタ１２は、保持部９ａにより保持されるとともに、リブ９ｄにより支えられており、相手側コネクタ１２は装着姿勢の変位が規制され傾きを抑えることができ、相手側コネクタ１２が外れたり、接続用コネクタ１０を破損させたりする恐れを低減できる。
【００４０】
また、リブ９ｄは板状のリブとするとともに、リブ９ｄの最も大きい面積は、リード線１１の引き出し方向と垂直になるようにしたことにより、より強い力でリード線１１が引き出し方向と垂直方向に引っ張られた場合でも、相手側コネクタ１２の傾きをより抑えることができ、相手側コネクタ１２が外れたり、接続用コネクタ１０を破損させたりする恐れをより低減することができる。
【００４１】
次に、ダンパー装置１を冷蔵庫から取り外す際は、工具等を用いて、保持部９ａに設けられた平面部９ｃに外側に外力を加えることにより、保持部９ａは容易に傾き、相手側コネクタ１２の保持力は解除され、相手側コネクタ１２を容易に外すことができ、交換作業性の良いものとすることができる。
【００４２】
また、保持力解除部は、爪形状の上方に延長された平面部９ｃとしたことにより、保持力解除部を簡単な構造にでき、冷蔵庫からダンパー装置１を取り外す際に、容易に相手側コネクタ１２が取り外せ、交換作業性の良いものとすることができるとともに、安価なものとすることができる。
【００４３】
また、保持部９ａはケース９に一体に設けたことにより、部品点数を増やすことがなく、相手側コネクタ１２の浮きや外れを低減できるとともに、安価なものとすることができる。
【００４４】
また、リブ９ｄはケース９に一体に設けたことにより、部品点数を増やすことがなく、接続用コネクタ１０を破損させる恐れを低減できるとともに、安価なものとすることができる。
【００４５】
以上のように、本実施の形態のダンパー装置においては、ケース９に設けられた保持部９ａにより、接続コネクタ１０に装着された相手側コネクタ１２を保持する構成としたものであり、相手側コネクタ１２と接続用コネクタ１０を装着しダンパー装置を断熱材に嵌めこむ前の時や、ダンパー装置１を嵌めこんだ断熱材を冷蔵庫へ組み込む時に、相手側コネクタ１２に接続されたリード線１１が引っ張られても、相手側コネクタ１２の浮きや外れにより接触不良が発生し、動作不良となる恐れを低減でき、信頼性の高いものとすることができる。
【００４６】
また、保持部９ａを弾性変形可能な爪形状とすることにより、保持部９ａを容易に外側にたわませながら相手側コネクタ１２を容易に装着できる取り付け作業性の良いものとすることができる。
【００４７】
また、保持部９ａに設けられた平面部９ｃを用いて、保持部９ａを容易に外側にたわませ、保持力を解除することができるので、相手側コネクタ１２を容易に外せ、交換作業性の良いものとすることができるとともに、部品を追加する必要がなく、簡単な構造で安価なものとすることができる。
【００４８】
なお、本実施の形態では、フラップは２つであるいわゆる２フラップダンパーであるが、フラップがひとつであるいわゆる１フラップダンパーとしてもよい。
【００４９】
なお、本実施の形態では、リブ９ｄは２本設けたが、少なくとも１本設ければよい。
【００５０】
なお、本実施の形態では、板状のリブ９ｄを２本平行に設けたが、２本のリブの間の相手側コネクタよりに、更なるリブを設けた略コの字状のリブとしてもよい。
【産業上の利用可能性】
【００５１】
以上のように、本発明にかかるダンパー装置は、接触不良により動作に支障を来たす恐れを低減でき、信頼性の高いものとすることができるので、流体通路を開閉し、流体の供給制御を行う用途に適用できる。
【図面の簡単な説明】
【００５２】
【図１】本発明の実施の形態１におけるダンパー装置の正面図
【図２】同実施の形態におけるダンパー装置の一部断面で示す右側面図
【図３】同実施の形態におけるダンパー装置の一部断面で示す底面図
【図４】同実施の形態におけるダンパー装置の駆動部の内部構造を示す平面図
【図５】図２のＡ方向から見た相手側コネクタの装着前の要部斜視図
【図６】図２のＡ方向から見た相手側コネクタの装着後の要部斜視図
【図７】従来のダンパー装置の正面図
【図８】従来のダンパー装置の一部断面で示す右側面図
【図９】従来のダンパー装置の一部断面で示す底面図
【図１０】従来のダンパー装置の駆動部の内部構造を示す平面図
【図１１】従来のダンパー装置の要部展開縦断面図
【符号の説明】
【００５３】
２、３  開口部
４、５  フラップ
６    モータ
７、８  フレーム
９    ケース
９ａ  保持部
９ｃ  平面部（保持力解除部）
９ｄ  リブ（姿勢規制部）
９ｅ  凹部
１０  接続用コネクタ
１１  リード線
１２  相手側コネクタ
【図１】
2008133974.tif 000003
【図２】
2008133974.tif 000004
【図３】
2008133974.tif 000005
【図４】
2008133974.tif 000006
【図５】
2008133974.tif 000007
【図６】
2008133974.tif 000008
【図７】
2008133974.tif 000009
【図８】
2008133974.tif 000010
【図９】
2008133974.tif 000011
【図１０】
2008133974.tif 000012
【図１１】
2008133974.tif 000013